(57)【要約】【課題】直交集成板を、容易且つ比較的低コストにて製造することを可能にし、以てその普及を図ることができる直交集成板を提供することを課題とする。【解決手段】一方の側面に全長に亘る角溝を形成すると共に、他方の側面の全長に亘って突条を形成し、上面の複数箇所に蟻溝１３を形成して成る第１部材１と、第１部材１の上面に蟻ほぞ１４を形成して成る第２部材２と、一方の側面に角溝を形成すると共に、他方の側面に突条を形成し、上下両面に蟻溝１３を複数上下で形成位置をずらして形成して成る第３部材３と、第３部材３の上面に蟻ほぞ１４を設けて成る第４部材４と、第３部材３の下面に蟻ほぞ１４を設けて成る第５部材５の５種類の部材を組み合わせて構成される。【選択図】図３
2018084027.tif 000002
【特許請求の範囲】
【請求項１】
一方の側面に全長に亘る角溝を形成すると共に、他方の側面の全長に亘って角溝に密に嵌入するサイズの突条を形成し、上面の複数箇所に蟻溝を形成して成る第１部材と、前記第１部材に対し、更に上面に、前記蟻溝に密に嵌入するサイズの蟻ほぞを、前記蟻溝形成部を除いて全長に亘って形成して成る第２部材と、一方の側面に全長に亘る角溝を形成すると共に、他方の側面の全長に亘って前記角溝に密に嵌入するサイズの突条を形成し、上下両面に蟻溝を複数上下で形成位置をずらして形成して成る第３部材と、前記第３部材に対し、更に上面に、前記蟻溝に密に嵌入するサイズの蟻ほぞを、前記蟻溝形成部を除いて設けて成る第４部材と、前記第３部材の下面に、前記蟻溝に密に嵌入するサイズの蟻ほぞを、前記蟻溝形成部を除いて設けて成る第５部材の５種類の部材を組み合わせて構成されることを特徴とする直交集成板。
【請求項２】
多数の前記第１部材同士を、前記角溝に前記突条を嵌入することによって前記第２部材を交えて板状に連結することによって構成される第１表面層と、
前記第３部材及び第４部材の蟻溝内に前記第２部材の蟻ほぞをスライド嵌入させることによって複数の前記第３部材及び第４部材を前記第１表面層に組み付けると共に、前記第５部材を、その蟻ほぞを前記第１部材及び第２部材の蟻溝内にスライド嵌入させることによって前記第１表面層に組み付けて構成される第１中間層と、
上下逆にした複数の前記第１部材を、その蟻溝内に前記第４部材の蟻ほぞをスライド嵌入させることによって前記第１中間層に組み付けると共に、上下逆にした前記第２部材を、その蟻ほぞを前記第３部材、第４部材及び第５部材の蟻溝列にスライド嵌入させて前記第１中間層に組み付けることによって構成される第２表面層とから成ることを特徴とする、請求項１に記載の直交集成板。
【請求項３】
前記第１部材乃至第５部材のうちのすべての又は一部の部材が不燃処理されている、請求項１又は２に記載の直交集成板。
【請求項４】
前記第１部材乃至第５部材のすべての又は一部の接合部間、及び／又は、前記各層のすべての又は一部の接合部間に不燃性繊維層を挟入した、請求項１乃至３のいずれかに記載の直交集成板。
【請求項５】
一方の側面に全長に亘る角溝を形成すると共に、他方の側面の全長に亘って角溝に密に嵌入するサイズの突条を形成し、上面の複数箇所に蟻溝を形成して成る第１部材と、前記第１部材に対し、更に上面に、前記蟻溝に密に嵌入するサイズの蟻ほぞを、前記蟻溝形成部を除いて全長に亘って形成して成る第２部材と、一方の側面に全長に亘る角溝を形成すると共に、他方の側面の全長に亘って前記角溝に密に嵌入するサイズの突条を形成し、上下両面に蟻溝を複数上下で形成位置をずらして形成して成る第３部材と、前記第３部材に対し、更に上面に、前記蟻溝に密に嵌入するサイズの蟻ほぞを、前記蟻溝形成部を除いて設けて成る第４部材と、前記第３部材の下面に、前記蟻溝に密に嵌入するサイズの蟻ほぞを、前記蟻溝形成部を除いて設けて成る第５部材と、前記第３部材を長尺化して成る第６部材と、前記第４部材を長尺化して成る第７部材と、前記第５部材を長尺化して成る第８部材の８種類の部材を組み合わせて構成されることを特徴とする直交集成板。
【請求項６】
多数の前記第１部材同士を、前記角溝に前記突条を嵌入することによって前記第２部材を交えて板状に連結することによって構成される第１表面層と、
前記第３部材及び第４部材の蟻溝内に前記第２部材の蟻ほぞをスライド嵌入させることによって複数の前記第３部材及び第４部材を前記第１表面層に組み付けると共に、前記第５部材を、その蟻ほぞを前記第１部材及び第２部材の蟻溝内にスライド嵌入させることによって前記第１表面層に組み付けて構成される第１中間層と、
複数の前記第６部材及び第７部材を、その蟻溝内に前記第４部材の蟻ほぞをスライド嵌入させることによって前記第１中間層に組み付けると共に、複数の前記第８部材を前記第１中間層に組み付けることによって形成される第２中間層と、
前記第３部材及び第４部材の下面側の蟻溝内に前記第７部材の蟻ほぞをスライド嵌入させることにより、複数の前記第３部材及び前記第４部材を前記第２中間層に組み付けると共に、前記第５部材を、その蟻ほぞを前記第２中間層の蟻溝列内にスライド嵌入させて前記第２中間層に組み付けることによって形成される第３中間層と、
上下逆にした複数の前記第１部材を、その蟻溝内に前記第３中間層を形成する前記第４部材の蟻ほぞをスライド嵌入させることによって前記第３中間層に組み付けると共に、上下逆にした前記第２部材を、その蟻ほぞを前記第３中間層を形成する前記第３部材、前記第４部材及び前記第５部材の蟻溝列にスライド嵌入させて前記第３中間層に組み付けることによって構成される第２表面層とを含むことを特徴とする、請求項５に記載の直交集成板。
【請求項７】
前記第１表面層と前記第２表面層との間に前記第１中間層乃至前記第３中間層の組を１組乃至３組配設した、請求項６に記載の直交集成板。
【請求項８】
前記第１部材乃至第８部材のうちのすべての又は一部の部材が不燃処理されている、請求項５乃至７のいずれかに記載の直交集成板。
【請求項９】
前記第１部材乃至第８部材のすべての又は一部の接合部間、及び／又は、前記各層のすべての又は一部の接合部間に不燃性繊維層を挟入した、請求項５乃至７のいずれかに記載の直交集成板。
【発明の詳細な説明】
【技術分野】
【０００１】
本発明は、板の層を各層で互いに直交するように積層接着した、ＣＬＴ（クロスラミネートティンバー）と呼ばれる直交集成板に関するものである。
【背景技術】
【０００２】
近時、上記直交集成板が、壁パネルや床パネルとして使用されるようになってきている。この直交集成板は、直交積層のために高い寸法安定性が得られ、また、断熱性に優れ、大判のパネルとした場合は高い耐震性を確保することができる、という利点のあるものである。
【０００３】
しかるに、従来この直交集成板は、板材を直交させて積層し、専用の接着剤を用いてプレス機によって板材同士を貼り合せることによって製造されているため、製造コストが嵩み、製造可能な業者が限られていることもあって、広く流通するには至っていない。
【先行技術文献】
【特許文献】
【０００４】
【特許文献１】特開２０１６−１８０２９３号公報
【発明の概要】
【発明が解決しようとする課題】
【０００５】
上述したように直交集成板は、高い寸法安定性が得られ、断熱性に優れ、また、大判のパネルとした場合は高い耐震性を確保することができるといった多くの利点があるにも拘らず、板材を直交させて積層し、専用の接着剤を用いてプレス機によって板材同士を貼り合せることによって製造されるものであるために製造コストが嵩み、製造可能な業者が限られていることもあって、広く流通するには至っていないというのが実状である。
【０００６】
そこで本発明は、上記のように多くの利点を有する直交集成板を、容易且つ比較的低コストにて製造することを可能にし、以てその普及を図ることができる直交集成板を提供することを課題とする。
【課題を解決するための手段】
【０００７】
上記課題を解決するための請求項１に記載の発明は、一方の側面に全長に亘る角溝を形成すると共に、他方の側面の全長に亘って角溝に密に嵌入するサイズの突条を形成し、上面の複数箇所に蟻溝を形成して成る第１部材と、前記第１部材に対し、更に上面に、前記蟻溝に密に嵌入するサイズの蟻ほぞを、前記蟻溝形成部を除いて全長に亘って形成して成る第２部材と、一方の側面に全長に亘る角溝を形成すると共に、他方の側面の全長に亘って前記角溝に密に嵌入するサイズの突条を形成し、上下両面に蟻溝を複数上下で形成位置をずらして形成して成る第３部材と、前記第３部材に対し、更に上面に、前記蟻溝に密に嵌入するサイズの蟻ほぞを、前記蟻溝形成部を除いて設けて成る第４部材と、前記第３部材の下面に、前記蟻溝に密に嵌入するサイズの蟻ほぞを、前記蟻溝形成部を除いて設けて成る第５部材の５種類の部材を組み合わせて構成されることを特徴とする直交集成板である。
【０００８】
好ましい実施形態における直交集成板は、多数の前記第１部材同士を、前記角溝に前記突条を嵌入することによって前記第２部材を交えて板状に連結することによって構成される第１表面層と、
前記第３部材及び第４部材の蟻溝内に前記第２部材の蟻ほぞをスライド嵌入させることによって複数の前記第３部材及び第４部材を前記第１表面層に組み付けると共に、前記第５部材を、その蟻ほぞを前記第１部材及び第２部材の蟻溝内にスライド嵌入させることによって前記第１表面層に組み付けて構成される第１中間層と、
上下逆にした複数の前記第１部材を、その蟻溝内に前記第４部材の蟻ほぞをスライド嵌入させることによって前記第１中間層に組み付けると共に、上下逆にした前記第２部材を、その蟻ほぞを前記第３部材、第４部材及び第５部材の蟻溝列にスライド嵌入させて前記第１中間層に組み付けることによって構成される第２表面層とから成る。
【０００９】
一実施形態においては、前記第１部材乃至第５部材のうちのすべての又は一部の部材が不燃処理され、前記第１部材乃至第５部材のすべての又は一部の接合部間、及び／又は、前記各層のすべての又は一部の接合部間に不燃性繊維層が挟入される。
【００１０】
また、上記課題を解決するための請求項５に記載の発明は、一方の側面に全長に亘る角溝を形成すると共に、他方の側面の全長に亘って角溝に密に嵌入するサイズの突条を形成し、上面の複数箇所に蟻溝を形成して成る第１部材と、前記第１部材に対し、更に上面に、前記蟻溝に密に嵌入するサイズの蟻ほぞを、前記蟻溝形成部を除いて全長に亘って形成して成る第２部材と、一方の側面に全長に亘る角溝を形成すると共に、他方の側面の全長に亘って前記角溝に密に嵌入するサイズの突条を形成し、上下両面に蟻溝を複数上下で形成位置をずらして形成して成る第３部材と、前記第３部材に対し、更に上面に、前記蟻溝に密に嵌入するサイズの蟻ほぞを、前記蟻溝形成部を除いて設けて成る第４部材と、前記第３部材の下面に、前記蟻溝に密に嵌入するサイズの蟻ほぞを、前記蟻溝形成部を除いて設けて成る第５部材と、前記第３部材を長尺化して成る第６部材と、前記第４部材を長尺化して成る第７部材と、前記第５部材を長尺化して成る第８部材の８種類の部材を組み合わせて構成されることを特徴とする直交集成板である。
【００１１】
好ましい実施形態における直交集成板は、多数の前記第１部材同士を、前記角溝に前記突条を嵌入することによって前記第２部材を交えて板状に連結することによって構成される第１表面層と、
前記第３部材及び第４部材の蟻溝内に前記第２部材の蟻ほぞをスライド嵌入させることによって複数の前記第３部材及び第４部材を前記第１表面層に組み付けると共に、前記第５部材を、その蟻ほぞを前記第１部材及び第２部材の蟻溝内にスライド嵌入させることによって前記第１表面層に組み付けて構成される第１中間層と、
複数の前記第６部材及び第７部材を、その蟻溝内に前記第４部材の蟻ほぞをスライド嵌入させることによって前記第１中間層に組み付けると共に、複数の前記第８部材を前記第１中間層に組み付けることによって形成される第２中間層と、
前記第３部材及び第４部材の下面側の蟻溝内に前記第７部材の蟻ほぞをスライド嵌入させることにより、複数の前記第３部材及び前記第４部材を前記第２中間層に組み付けると共に、前記第５部材を、その蟻ほぞを前記第２中間層の蟻溝列内にスライド嵌入させて前記第２中間層に組み付けることによって形成される第３中間層と、
上下逆にした複数の前記第１部材を、その蟻溝内に前記第３中間層を形成する前記第４部材の蟻ほぞをスライド嵌入させることによって前記第３中間層に組み付けると共に、上下逆にした前記第２部材を、その蟻ほぞを前記第３中間層を形成する前記第３部材、前記第４部材及び前記第５部材の蟻溝列にスライド嵌入させて前記第３中間層に組み付けることによって構成される第２表面層とを含むことを特徴とする。
【００１２】
また、好ましい実施形態における直交集成板は、前記第１表面層と前記第２表面層との間に前記第１中間層乃至前記第３中間層の組を１組乃至３組配設して構成される。また、前記第１部材乃至第８部材のうちのすべての又は一部の部材が不燃処理され、前記第１部材乃至第８部材のすべての又は一部の接合部間、及び／又は、前記各層のすべての又は一部の接合部間に不燃性繊維層が挟入される。
【発明の効果】
【００１３】
本発明は上記のとおりであって、本発明に係る直交集成板は、一般に流通しているサイズの無垢材を使用して製造される８種類の部材を、接着剤を使用することなく、単に組み付けていくことで容易且つ迅速に製造することができるので、製造コストを抑えることができる効果がある。
【図面の簡単な説明】
【００１４】
【図１】本発明に係る直交集成板を構成する５種類の部材の形状を示す斜視図である。
【図２】本発明に係る直交集成板を構成する第１表面層の構成を示す斜視図である。
【図３】第１表面層上に第１中間層を形成した状態を示す斜視図である。
【図４】第１中間層上に第２表面材を組み付けて形成した３層構造の直交集成板を示す斜視図である。
【図５】５層構造の直交集成板を構成するために、第１中間層上に第２中間層を組み付けた状態を示す斜視図である。
【図６】５層構造の直交集成板を構成するために、第２中間層上に第３中間層を組み付けた状態を示す斜視図である。
【図７】第３中間層上に第２表面材を組み付けて形成した５層構造の直交集成板を示す斜視図である。
【発明を実施するための形態】
【００１５】
本発明を実施するための種々の形態について、添付図面を参照しつつ詳細に説明する。本発明に係る直交集成板は、次の８種類の部材を組み合わせて構成されるものである（図１参照）。以下の部材はいずれも、例えば、断面が１００×１２０ｍｍ程度の適宜長さの角材を加工して製造されるものであり、通例、第１部材１、第２部材２及び第６部材６〜第８部材８が、第３部材〜第５部材５よりも長尺とされる。これら各部材１〜８には、必要に応じて、反り防止用のスリットが長さ方向に刻設される。
【００１６】
第１部材１
一方の側面に全長に亘る角溝１１を形成すると共に、他方の側面の全長に亘って角溝１１に密に嵌入するサイズの突条１２を形成し、上面の複数箇所（図示した例では２箇所）に蟻溝１３を形成して成る。
第２部材２
第１部材１に対し、更に上面に、蟻溝１３に密に嵌入するサイズの蟻ほぞ１４を、蟻溝１３形成部を除いて全長に亘って形成して成る。
第３部材３
一方の側面に全長に亘る角溝１１を形成すると共に、他方の側面の全長に亘って角溝１１に密に嵌入するサイズの突条１２を形成し、上下両面に蟻溝１３を複数（図示した例では２箇所）、上下で位置をずらして形成して成る。
第４部材４
第３部材３に対し、更に上面に、蟻溝１３に密に嵌入するサイズの蟻ほぞ１４を、蟻溝１３形成部を除いて設けて成る。
第５部材５
第３部材３の下面に、蟻溝１３に密に嵌入するサイズの蟻ほぞ１４を、蟻溝１３形成部を除いて設けて成る。
第６部材６
第３部材３を長尺化したものである。
第７部材７
第４部材４を長尺化したものである。
第８部材８
第５部材５を長尺化したものである。
【００１７】
上記８種類の部材を用いて構成される本発明に係る直交集成板は、通例、３層構造又は５層構造である。３層構造の場合は、以下の構成の第１表面層２１と、第１中間層２２と第２表面層２３とで構成される（図２乃至４参照）。
【００１８】
第１表面層２１
多数の第１部材１同士を、角溝１１に突条１２を嵌入することによって第２部材２を交えて板状に連結することによって構成される（図２参照）。図示した例の第２部材２は、左右それぞれ外側から２番目に配置されている。
【００１９】
第１中間層２２
第３部材３及び第４部材４の蟻溝１３内に第２部材２の蟻ほぞ１４をスライド嵌入させることにより、複数の第３部材３及び第４部材４を第１表面層２１に組み付けると共に、第５部材５を、その蟻ほぞ１４を第１部材１及び第２部材２の蟻溝１３列に横方向からスライド嵌入させることにより、第１表面層２１に組み付けることによって構成される（図３参照）。
【００２０】
第２表面層２３
上下逆にした複数の第１部材１を、その蟻溝１３内に第１中間層２２を構成する第４部材４の蟻ほぞ１４をスライド嵌入させることによって第１中間層２２に組み付けると共に、上下逆にした第２部材２を、その蟻ほぞ１４を第３部材３、第４部材４及び第５部材５の蟻溝１３列にスライド嵌入させて第１中間層２２に組み付けることによって構成される（図４参照）。
【００２１】
この３層構造の直交集成板の組立ては、単に各部材を組み付けていくだけで行うことができ、基本的に接着剤は不要である。もちろん、必要に応じて接着剤や接合金具を用いても差し支えない。以下の多層構造の場合も同様である。５層構造の場合は、上記３層構造の場合の第１表面層２１、第１中間層２２及び第２表面層２３を備え、更に第１中間層２２と第２表面層２３との間に、下記構成の第２中間層２４と第３中間層２５とを組み込んで形成される（図５〜７参照）。
【００２２】
第２中間層２４
複数の第６部材６及び２つの第７部材７を、その蟻溝１３内に第１中間層２２を構成する第４部材４の蟻ほぞ１４をスライド嵌入させることによって第１中間層２２に組み付けると共に、２つの第８部材８を、その蟻ほぞ１４を第１中間層２２の蟻溝１３列内にスライド嵌入させることによって第１中間層２２に組み付けることによって形成される。
【００２３】
第３中間層２５
第３部材３及び第４部材４の下面側の蟻溝１３内に第７部材７の蟻ほぞ１４をスライド嵌入させることにより、複数の第３部材３及び第４部材４を第２中間層２４に組み付けると共に、第５部材５を、その蟻ほぞ１４を第２中間層の蟻溝１３列内にスライド嵌入させて第２中間層２４に組み付けることによって形成される。
【００２４】
そして、第３中間層２５上に、上記３層構造の場合と同様にして第２表面層２３に組み付けることによって、５層構造の直交集成板が完成する。
【００２５】
また、第１表面層と第２表面層との間に、上記第２中間層２４と第３中間層２５の組を２組配設することによって、７層構造とすることができ、更に第２中間層２４と第３中間層２５の組を３組配設することによって、９層構造とすることができる。
【００２６】
以上いずれの実施形態においても、第１部材１乃至第８部材８のうちのすべての又は一部の部材が不燃処理されることが好ましく、また、第１部材１乃至第８部材８のすべての又は一部の接合部間、及び／又は、前記各層２１〜２５のすべての又は一部の接合部間に不燃性繊維層を挟入することとしてもよい。そのようにした場合は、直交集成板全体が不燃性を有するものとなり得る。  また、第１表面層２１及び第２表面層２３の外表面は化粧加工される。
【符号の説明】
【００２７】
１      第１部材
２      第２部材      
３      第３部材
４      第４部材
５      第５部材
６      第６部材
７      第７部材
８      第８部材
１１    角溝
１２    突条
１３    蟻溝
１４    蟻ほぞ
２１    第１表面層
２２    第１中間層
２３    第２表面層
２４    第２中間層
２５    第３中間層
【図１】
2018084027.tif 000003
【図２】
2018084027.tif 000004
【図３】
2018084027.tif 000005
【図４】
2018084027.tif 000006
【図５】
2018084027.tif 000007
【図６】
2018084027.tif 000008
【図７】
2018084027.tif 000009